(57)【要約】【課題】  スポーツに関する打力と投力の能力向上方法に関して、種々のものが開発されておりながら、手軽に誰もが行えるような器具が開発されていなかった。【解決手段】  設定されたスイングスピードを知らせる速度報知器であって、前記速度報知器には、軸方向に延びる空洞が形成されており、前記空洞内の手元に近い端部には、設定スイングスピードの遠心力によって二つに分離する分離可能な結合体の一方が固定され、遠い端部には、分離した他方の結合体を受ける受動体が取り付けられていることを特徴とする速度報知器を提供する。【選択図】図３
2019122478.tif 000002
【特許請求の範囲】
【請求項１】
設定されたスイングスピードを知らせる速度報知器であって、前記速度報知機器には、軸方向に延びる空洞が形成されており、前記空洞内の手元に近い端部には、設定スイングスピードの遠心力によって二つに分離する分離可能な結合体の一方が固定され、遠い端部には、分離した他方の結合体を受け止める受動体が取り付けられていることを特徴とする速度報知器。
【請求項２】
前記結合体が強力磁石と強磁性体、若しくは、複数の強力磁石で構成されていることを特徴とする請求項１に記載の速度報知器。
【請求項３】
前記結合体の強力磁石と強磁性体の間隔が、調整可能に構成されていることを特徴とする請求項１〜２に記載の速度報知器。
【請求項４】
前記受動体が、前記結合体の衝突によって音を発する音源であることを、特徴とする請求項１〜３に記載の速度報知器。
【請求項５】
前記速度報知器が、野球バット、ゴルフクラブ、テニスラケット、卓球ラケット、ラクロス用ラケット、バトミントン用ラケット、卓球ラケットの何れかであることを、特徴とする請求項１〜４に記載の速度報知器。
【請求項６】
前記速度報知器の手元が球体であり、該球体から円筒が軸方向に延び、該円筒内に前記結合体が収納されている請求項１〜５に記載の速度報知器。
【請求項７】
前記速度報知器が複数用意され、各速度報知器内の結合体が段階的に異なるスイングスピードで遠心力によって離れるように設定されている請求項１〜６の何れかに記載の速度報知器。
【請求項８】
前記請求項７記載の速度報知器において、前記異なるスイングスピードに対応させて、色分けされ、又は文字で区別されている速度報知器。
【請求項９】
足又は腕に取り付ける固定バンドが設けられている請求項１〜８記載の速度報知器。
【発明の詳細な説明】
【技術分野】
【０００１】
本発明は、速度報知器に関し、主として器具を用いた人間のスイング能力とボールを投げる能力を高めるスイング練習具に関するものである。
【背景技術】
【０００２】
以下、従来のスポーツにおけるスイング練習についての先攻技術文献を記載する。
【先行技術文献】
【特許文献】
【０００３】
【特許文献１】特開1997-075493  スイング測定装置
【特許文献２】特開2001-29525   打撃用練習具
【特許文献３】特開2001-190727  運動練習機
【特許文献４】特開2002-286565  ゴルフボールの衝撃力測定方法およびその装置
【特許文献５】特開2008-125722  ゴルフクラブの打感評価方法および装置
【特許文献６】特開2012-228351  打感の評価方法
【特許文献７】特開2016-22308   スイング測定表示システム
【発明の概要】
【発明が解決しようとする課題】
【０００４】
前記の先攻技術文献に記載例は、打撃練習において、練習者が使いたい任意のバットのボールが当たったことを、音、感触、打球の速さなどで、練習者に知らせる検知手段とで形成された打撃用練習具であったり、光電センサーや加速度センサの電気信号を用いてスイングを測定する表示システムであったりして、手軽にスイング速度の測定を行えるものではなかった。
【０００５】
スイング速度の向上は、競技者の重要能力である。この能力の評価は、現在までは数値化することが難しかった。なぜなら、適切な速度表示システムがなかったからである。あっても装置が大型であるなど扱いが容易ではなかった。
【０００６】
本発明者は、 スイング速度の向上を誰もが簡便に知ることができれば、スイング速度の向上目標ができ、練習により打ち込めるようになる。スイング能力を誰もが簡便に知る速度報知器を発明する必要があると考えた。
本発明は、従来例と異なり、ゴルフクラブ、テニスラケット、バトミントンラケット、卓球のラケット、野球のバット、野球のボール等、それ自身で速度を報知することができる速度報知器を提供することを課題とする。
【課題を解決するための手段】
【０００７】
課題解決の第１手段は、設定されたスイングスピードを知らせる速度報知器であって、前記速度報知器には、軸方向に延びる空洞が形成されており、前記空洞内の手元に近い端部には、設定スイングスピードの遠心力によって、二つに分離する分離可能な結合体の一方が固定され、遠い端部には、分離した他方の結合体を受け止める受動体が取り付けられていることを特徴とする速度報知器である。
【０００８】
課題解決の第２手段は、前記結合体が強力磁石と強磁性体、若しくは、複数の強力磁石で構成されていることを特徴とする請求項１に記載の速度報知器である。
【０００９】
課題解決の第３手段は、分離する前の前記結合体の強力磁石と強磁性体の間隔が、ネジで調整可能に構成されていることを特徴とする請求項１〜２に記載の速度報知器である。
【００１０】
課題解決の第４手段は、前記受動体が前記結合体の衝突によって音を発する音源であることを、特徴とする請求項１又は２に記載の速度報知器。
【００１１】
課題解決の第５手段は、前記速度測定器が、野球バット、ゴルフクラブ、テニスラケット、卓球ラケットの何れかであることを、特徴とする請求項１〜４に記載の速度報知器。
【００１２】
課題解決の第６手段は、前記スイング練習具の手元が球体であり、該球体から円筒が軸方向に延び、該円筒内に前記結合体が収納されている請求項１〜４に記載の速度報知器である。
【００１３】
課題解決の第７手段は、前記記載の速度測定器が複数用意され、各速度測定器内の結合体が段階的に異なるスイングスピードで遠心力によっては離れるように設定されている請求項１〜６の何れかに記載の速度報知器である。
【００１４】
課題解決の第８手段は、前記記載の速度測定器が複数用意され、各速度測定器内の結合体が、段階的に異なるスイングスピードで、遠心力によって離れるように設定されているスイング練習具の外観を、色表示または数字表示、文字表示で離れる速度を段階表示した速度報知器である。
【００１５】
課題解決の第９手段は、足又は腕に取り付ける固定バンドが設けられている請求項１〜８記載の速度報知器である。
【発明の効果】
【００１６】
本発明の速度報知器の構成によれば、誰もが容易に自分一人だけで、球技における用具のスイングスピードを向上させることができる。また、打撃用具だけでなく、野球のボールのように投げる技能の向上にも役立つ。さらに、この速度報知器を足に巻き付ければ、サッカボールを蹴る時の蹴り速度向上に役立つ。本発明の速度報知器を集団練習に用いれば、段階的にスイングスピードが達したことを音で確認できるので、監督者を含め他の選手など、誰もが容易に間違いなく能力向上を確認できる。本発明の速度報知器を用いて、技能向上の認定及び表彰制度を設けることにより、本人の技能向上の励みになる。
【図面の簡単な説明】
【００１７】
【図１】本発明の一実施形態における速度報知器の断面図。
【図２】本発明の一実施形態における速度報知器のシャトル移動後の断面図。
【図３】本発明の一実施形態における野球バットに速度報知器を内臓した図。
【図４】本発明の一実施形態におけるテニスラケットに速度報知器を内臓した図。
【図５】本発明の一実施形態におけるゴルフクラブに速度報知器を内臓した図。
【図６】本発明の一実施形態における卓球ラケットに速度報知器を内臓した図。
【図７】本発明の一実施形態における野球ボールに速度報知器を内臓した図。
【図８】本発明の一実施形態における装着具に速度報知器を内臓した図。
【図９】本発明の一実施形態におけるスポーツ用具の握り部に速度表示をした図。
【図１０】本発明の一実施形態における磁石枚数と間隔と磁力の表。
【図１１】本発明の一実施形態における磁石枚数と間隔と磁力のグラフ。
【図１２】本発明の一実施形態における速度とシャトルと回転半径と遠心力の表。
【図１３】本発明の一実施形態における速度とシャトルと回転半径と遠心力のグラフ。
【発明を実施するための形態】
【００１８】
以下、本発明の実施の形態を図１〜図１３に基づいて説明する。
【実施例】
【００１９】
図１は、本発明の一実施形態における速度報知器１０の断面図である。前記速度報知器には、軸方向に延びる空洞1１が形成されており、前記空洞1１の内部に強磁性体の調整ネジ１２を有する調整ネジ保持部１３があり、強力磁石1４を内臓したシャトル１５とは、調整ネジ１２の先端とシャトル１５内の強力磁石1４の端までの厚みを合計した間隔で結合している。シャトル１５は設定スイングスピードの遠心力によって分離可能な構造である。手元から遠い端部１６には、分離したシャトル1５を受け止める受動体1７が取り付けられた構成にしている。受動体1７には受材1８と緩衝材1９が設けられている。強力磁石１４と強磁性体でできた調整ネジ１２との間隔は、０.５ミリから６ミリくらいの適当な距離を設けている。この間隔は調整ネジ１２の先端とシャトル１５内の強力磁石1４の端部までを合計した厚みである。調整ネジ１２を回転させてネジを出し入れし、設定スイングスピードに応じて、製造時に間隔Ｄを調整をする。緩衝材１９はＯリングなどゴム系の素材で作り、シャトルの衝撃を吸収する。だだし、受材1８は硬質部材の構造であり、シャトル１５と受材１８の衝突による快音を発する。強力磁石１４はネオジム磁石を用いる。強力磁石１４の磁力は用いる枚数や間隔で調整する。
【００２０】
図２は、本発明の一実施形態における速度報知器１０のシャトル１５が遠心力により移動した後の断面図である。設定スイングスピードの遠心力によって、強磁性体と強力磁石との結合が離れてシャトル１５が飛出し、受動体1８で受け止められている状態である。
【００２１】
図３は、本発明の一実施形態における野球のバット３０に、速度報知器１０を内臓した図である。バット３０の内部を空洞化し、速度報知器１０をバット３０の先端部から近い適当な距離の位置に固定したものであり、遠心力がかかっても速度報知器１０が抜け出さないように垂直方向にネジで固定した構造にしている。
【００２２】
図４は、本発明の一実施形態におけるテニスラケット４０に速度報知器１０を内臓した図である。テニスラケット４０の手元のグリップ部４１の内部を空洞化して速度報知器１０を内臓化させたものであり、速度報知器１０は垂直方向にネジで固定した構造になっている。
【００２３】
図５は、本発明の一実施形態におけるゴルフクラブ５０に速度報知器１０を内臓した図である。ゴルフクラブ５０のグリップ５１の他端に、速度報知器１０を固定するパイプ部５２を形成し、その内部に速度報知器１０を設けたもので、遠心力で抜け出さないようにネジで固定する構造にしている。
【００２４】
図６は、本発明の一実施形態における卓球ラケット６０に速度報知器１０を内臓した図である。卓球ラケット６０のグリップ部６１の内部を空洞化し、速度報知器１０を内臓した図であり、ネジで固定する構造にしている。
【００２５】
図７は、本発明の一実施形態における野球ボール７０に速度報知器１０を固定した図である。野球ボール７０をくり抜いた構造にし、くり抜いた孔７１に速度報知器１０を固定したものであり、速度報知器１０は接着剤などを用いて孔７１に固定している。速度報知器１０の先端部には怪我を防止する目的で、玉状に形成した球部７２を設けた構造にしている。
【００２６】
図８は、本発明の一実施形態における装着具８０に速度報知器１０を内臓したものを脚部に装着した図である。脚部に速度報知器１０を装着できる構造にすることで、サッカーなどボールを蹴る球技の脚力向上に役立てることができる。装着具を脚部に固定する方法は、慣用手段を用いる。
【００２７】
図９は、速度報知器１０を内臓した野球バット３０が複数本用意された図である。各野球バット３０に内臓された速度報知器１０は、結合体が段階的に異なるスイングスピードで遠心力によって離れるように設定されており、野球バット３０は離脱速度を番号印字９０の１番は５０ｋｍ/ｈ以上、２番は６０ｋｍ/ｈ以上、３番は７０ｋｍ/ｈ以上、４番は８０ｋｍ/ｈ以上、５番は９０ｋｍ/ｈ以上、６番１００ｋｍ/ｈ以上、７番は１１０ｋｍ/ｈ以上、８番は１２０ｋｍ/ｈ以上、９番は１３０ｋｍ/ｈ以上と、番号表示された数字を見れば、各スイング速度での離脱が容易に音で確認できるので、体力に応じたスイング練習が効果的にできる。図９の実施例では番号印字９０を１から５までをバット１０に印字したものである。番号表示に変えて色表示にしても良いし、両方の表示方法にしても良い。図９は本発明のバット１０を５本用意した例で、１番から５番まであり、５０ｋｍ/ｈ以上から９０ｋｍ/ｈ以上までの練習ができる。
【００２８】
因みに、高校野球チームのバットの平均振り速度は７０ｋｍ/ｈであり、有力な高校野球チームの平均振り速度は８０ｋｍ/ｈである。また、大学での野球チームの平均振り速度は９０ｋｍ/ｈ、ノンプロ野球での平均振り速度は９５ｋｍ/ｈ、プロ野球チームの平均振り速度は１００ｋｍ/ｈというデータがある。この振り速度のデータは、１９９３年に株式会社フェニックスが開発したスイング速度測定器を使用して、そこから得られたものを参考に用いている。以上のデータは平均値であり、高校生でありながら、１００ｋｍ/ｈ以上の振り速度を出す者もいる。プロ野球では、１１０ｋｍ/ｈ以上のスイング速度を出す者もいる。だだし、１２０ｋｍ/ｈ以上のスイング速度を出す者は稀な存在であり、体格に恵まれた優秀な選手が、日々の訓練により初めて達成できるスイング速度である。
【００２９】
野球というゲームでは、打者にはバットのスイングスピードが特に重要な要素である。１００ｋｍ/ｈ以上のスイング速度が出せなければ、例えボールに上手く当てても、ホームランゾーンへの距離までは飛ばない。ホームランゾーンとは、甲子園球場の場合は、ホームベースから両翼までの距離が９５メートル、中堅１１８メートルに設計されており、フェンスの高さを含めれば、相当に飛距離を出さねばならない。ホームランの条件は、相当に早い振り速度が必要であること、バットのスイートスポットに上手く当てること、理想的角度の弾道を描いて飛ぶことなどである。
【００３０】
図１０は、本発明の一実施形態における速度報知機１０内に設けるもので、磁石枚数と間隔と磁力の表である。内臓した磁石は２枚、３枚、４枚の枚数で測定した。膜厚は間隔で表示させてあり、０から６.０ミリまで１３段階を０.５ミリ刻みに測定をした。測定はデジタル表示の引張試験機を用いた。各表示はピーク値を採用した。引張試験機の引き上げ速度は分速５０ミリに設定して測定をした。吸引力の単位はグラム表示である。
【００３１】
図１１は、本発明の一実施形態における磁石枚数と間隔と磁力のグラフである。磁石枚数２枚、３枚、４枚での３種類のグラフである。
【００３２】
図１２は、本発明の一実施形態における速度とシャトルと回転半径と遠心力の表である。スイング体であるバット１０は、遠心力ｆ＝飛出し力ｆは、バット１０の回転により、強磁性体の調整ネジ１２と強力磁石１４の結合が離れる。回転物体の遠心力を計算するのは、シャトル１５の位置を回転物体の半径ｒの位置とする。飛出し力は、シャトル１５の重量Ｗに比例する。回転体の半径Ｒとシャトル１５の重量ｍが決まれは、各スイング速度毎のシャトル１５の飛出し力ｆは、以下の遠心力の公式で求められる。ｆ＝ｍｖ２乗/ｒまたはｆ＝ｍｒω２乗が遠心力の公式であり、この式からv = rωが導きだされる。シャトル１５のｍ２０ｇ、回転半径１メートルの位置での４０ｋｍ/ｈ〜１３０ｋｍ/ｈまでの速度は、回転体の毎分回転数ＲＰＭに直せば、図示しているように２１２ＲＰＭ〜６９０ＲＰＭとなる。この時の各飛出し力は図示しているように、２０グラムのシャトルでは、１００グラムから１０６６グラムの飛び出し力となる。
【００３３】
前記遠心力ｆを求める計算は物理に出てくる公式であり、式の中ｆは遠心力、ｖは速度、ωは角速度の単位である。ｒは半径である。角速度は角度の単位と時間の単位の比によって表わされる。例えば国際単位系においては、角度の単位はラジアン (rad)、時間の単位は秒 (s) であるため、角速度の単位はラジアン毎秒 (rad/s) となる。角速度を表す記号としてはしばしばギリシア文字の ω や Ω が用いられる。
【００３４】
図１３は、本発明の一実施形態における速度とシャトルと回転半径と遠心力のグラフである。図示した数値を参考にして設計に用いれば、バット１０へ内臓する速度報知器１０の製造が容易となる。ただし、回転半径ｒは、スイングする打者の体格により異なるし、同じ打者でも、内角、外角をスイングすることでも異なる。従って、平均身長の者がストレートのボール位置をスイングしたものとして設計する。本発明では、標準半径ｒを１００cmとして製造した。
【００３５】
以下、速度報知器の使用法を図３の野球用のバットを用いて説明する。速度報知器の内臓されたバットはバットのグリップグリップを握って先ず垂直に立てる。この作業を行うことで、シャトル１５は調整ネジ保持部１３と合体する。合体したシャトルは逆さまにしても落ちない。最初は番手の低いバットをスイングする。一番低い番手は１番であり、この番号が印字されたバットは時速４０ｋｍ/ｈ以上のヘッドスピードで分離して飛び出す。簡単にシャトルが飛び出せば、次の番手に進む。自分が思い切りフルスイングしたときにはじめてシャトルが離れることを確認したら、その番手のバットを自分のスイング練習バットにする。スイング方法にははいくつかある。その一つは、フルスイングしたバットを連続何回フルスイングさせられるかである。１０回から２０回のフルスイングを回数目標として、一日に何セットかを繰り返す。シャトルが飛び出せばはカチンと音がするので確認できる。シャトルは一回ごとに垂直に立ててもとに落下するようにする。２番目の方法はその番手より、低い番手を数十回スイングスイングする方法がある。この場合にも量を決めてやることが必要である。３０回を目標スイングとして一日に数セットを繰り返す。
３番目の方法は、１番目に紹介したのと２番目に紹介したのとの混合である。どちらかが終了すれば、数分休むそしてバットの番手を変える。それが終了すれば数分休む。このように休みを何回か取り入れるインターバ練習方法が、科学的に身体を効率よく鍛錬する方法として注目されている。このセット回数は自ら自由に設定すればよいが、必ず体の筋肉の快復させるトレーニング休日を作る必要がある。
【００３６】
その他、テニス、ゴルフ、卓球も野球バットの時と同様である。グリップがあって振り速度が必要とする球技は何でもこの速度報知機を内臓させることができる。バトミントンなどは手元にセットできなくても軸線端部にセットすることができるので、前項で記したと同様の練習をすればよい。
【００３７】
速度表示の番手を上げることに関してであるが、３回以上連続してシャトルを分離させることのできない番手は、現在の能力以上の番手であるので、身体を痛めることになる。必ず１０回以上連続してシャトルを話せる位のものを選択することが、練習方法として大切なことである。
【００３８】
バドミントンスマッシュは速く打てれば打てるほど攻撃性を高め、観客を沸かせるバドミントンの花形とも言える一手です。バドミントンスマッシュの速度を速く打つ方法は、利き手でないほうでバランスをとりながら球の落下地点を読むところからスタート。ラケットを大きく振りかぶり、腰から手首へ順を追ってエネルギーが回転しながら伝わることをイメージしながら、速度をつけて振り切ります。バトミントンのスーパーシリーズで計測されたスマッシュスピードで、男子では408km/h、女子では372km/hの最高速度を記録したと発表しました。これはスピードガンによる計測です。これほどの早い速度でも羽根がついているので相手コートに入ったときは100km/h程度に減速すると言われている。
【００３９】
なお、バットのスイング速度に関してであるが、スイング速度の計測法に何種類かあり、同一スイング速度であっても測定方法により、表現する数値がかなり変わることを知っておかなければならない。一つ目はバットの先端で計測する先端速度表示方法である。これは古典的手法になるが、昔は映像分析しか手法がなかった時には、撮影されたコマ数から時間を割り出し、その間に進んだバットの軌跡の距離を計算して振り速度を算出した。現在は、バットが２個の光電サンサーを通過した遮断時間から計測することができる。ただし、この手法は正しくヒッティングポイントで測れる利点があるものの、バットが進行方向に垂直であることが条件になる。進行方向に対して、垂直から角度が外れた分を割り出して補正しなければならない。そのような欠点があったものを、本発明者はバットがどのような角度で侵入しても自動的に補正ができる手法を１９９５年に発明して出願した。因みに先端速度表示方法は、ヒットポイント表示方法に比較して、数値が２０％程度も大きく表示される傾向がある。
【００４０】
打撃速度は打者の能力を評価する重要な指標である。また、投球速度も投手の重要な能力表示の指標である。投球速度はドップラー効果を応用したレーダガンがあり、容易に測定できる。しかし、打者の打撃速度を容易に知りうる手法はない。なぜなら、バットが回転しているということがある。しかも加速しながら回転している。このためにスイング速度の測定が困難であるといえる。本発明はそのような困難な問題を、遠心力を測定しその遠心力のピーク値からバット振り速度を測定するという手法に特徴がある。
【００４１】
遠心力から振り速度を知るには、物理公式を良く知る必要がある。ｆ＝ｍｖ２乗/ｒの公式は半径が小さければ遠心力ｆは大きくなることを示している。しかし、発明者が計算したように回転半径が小さくなれば遠心力ｆは小さくなる。しかし、現実にはこうはならない。なぜなら、回転半径を長くすれば遠心力は大きくなるはずだが、容易には大きくならない。それは、バットという質量を常に加速することに人は同一のエネルギーを使用するからである。半径を大きくすれば角速度は減少し、半径を小さくすれば角速度は増加する。このことにより、回転半径を少々変化させても、打者の打撃速度のピーク値そのものは大きく変化しないということである。従って、回転半径ｒの変化を気にせず、遠心力ｆがスイング速度ｖと正比例の関係にあるという物理法則を良く知って練習に励めば良いことになる。
【００４２】
理不尽な指導者とか愚かな親という問題が、スポーツ訓練には良く起こる。根性論や我慢主義とも言われる。振った回数だけ上手くなるということで、選手にただ回数を振らせる、一定時間振らせるという訓練法がある。これは集団練習には良く起こりがちな訓練方法である。漫然と素振りを繰り返すだけでは、良い選手は育たない。これは科学的なスイングのトレーニング方法を取り入れていない指導法といえる。指導される側は何らかの数値確認できる向上方法が欲しいものである。ただし、大掛かりな装置は適さない。現状は全くといってよいほど数値確認できる手段や方法がなかったスポーツ界に対して、本発明の速度報知器は、手軽に誰もが実践できる科学的なスポーツトレーニングの手段を提供できるものである。
【００４３】
「ボールを良く見て打つ」「腰の切れ」「頭を動かさずに」などと、打つための教育法の言葉がある。「フルスイングせよ」というコーチは少ない。フルスイングで球に当てるのは困難であるから、当てることを目的にするならこれで良い。しかし、フルスイング打法で有名になった選手も多い。監督はチームを勝たせる戦法になり勝ちである。一方で選手は華々しい長打や本塁打を見せたくなる。理想は選手と監督の両方の思いの一致である。そのためには選手側では、ここ一番で出せる実力が伴わなければならない。選手は先ずフルスイング力のパワーアップを目指すことが一番大切である。この目的達成の手段として、フルスイングのパワーアップを効率良く確認する方法が必要となる。
【００４４】
現代の筋肉トレーニングについてであるが、ボデービルでは、連続して１２回から１５回くらい持ち上げられるバーベルや鉄アレーを使用すると良いと云われている。様々な機械トレーニングでも同様である。１２回から１５回が連続して行なえる付加に調節すると、筋肉が発達する。この筋肉養成理論から言えることは、何百回も同じ振り速度でスイングすることを繰り返すよりも、少ない回数でも良いから、適切な負荷のバット、即ち本発明の振り速度報知機能付きバットを練習に用いると良いということが言える。
アマチュア野球の金属バット  高速スイング方法の提案について。野球のバットスイング力をアップする方法として、重いバットをスイングする方法が用いられている。
【００４５】
野球では、バット重量９００グラムから９２０グラム近辺が多く用いられている。それに対して、１１００グラム程度のものを振らせる。これは、重いバットを振れば、通常のバットをスイングしたときには、軽く感じられることから良い方法だとされている。確かに体はそう感じるだろうが、高速スイングができるのかと言えば大いに疑問の方法である。２２パーセントの重量増加が何パーセント速度減の影響になるかを知らねばならない。一般的な物理公式で求めることは以下に示す。 
【００４６】
ｆ＝ｍＶ２乗  ｆを一定として、ｍが1.22倍されたら、Ｖはそのルート倍で割り算をして求める。ｍ÷1.1＝0.909倍となる。即ち、バット重量900グラムのバットと22パ−セント重量増加したときには最大時速100ｋｍ/ｈの速度でスイングする能力の者ならバット速度は90ｋｍ/ｈとなる。90ｋｍ/ｈの者なら81ｋｍ/ｈ、80ｋｍ/ｈの能力の者なら72ｋｍ/ｈ、70ｋｍ/ｈの者なら63ｋｍ/ｈとなるはずである。しかし、この逆は成り立たない。なぜなら、バット重量150グラムのバットを実際にスイングして見れば良く理解できる。６分の１以下のバット重量でも倍速や３倍速で振ることは非常に困難であり出来ない。
【００４７】
ただし、バット重量150グラムのものを子供でも大人と同様のスイングスピード出すが重量を加えると子供は急速に落ちる。これが大人と子供の大きな差である。
【００４８】
バットはなめらかな丸い棒で、太さは最も太い部分の直径が6.6cm以下、長さは106.7cm以下と決められている。 しかし、アマチュア野球の金属バットには、プロ野球にはない、重さの規定があり、900g以上とされている。 どれほど軽いバットがよくても、これ以上軽くすることはできない。
【００４９】
本発明の速度報知器は、球技における選手のスイングスピードを向上させることに貢献できる。球技における用具産業の発展に貢献できる。
【符号の説明】
【００５０】
１０  速度報知器
１１  空洞
１２  強磁性体の調整ネジ
１３  調整ネジ保持部
１４  強力磁石
１５  シャトル
１６  手元から遠い端部
１７  受動体
１８  受材
１９  緩衝材
３０  バット
４０  テニスラケット
４１  グリップ部
５０  ゴルフクラブ
５１  グリップ部
５２  パイプ部
６０  卓球ラケット
６１  グリップ部
７０  野球ボール
７１  孔
７２  球部
８０  装身具
９０  番号印字
Ｄ    間隔
【図１】
2019122478.tif 000003
【図２】
2019122478.tif 000004
【図３】
2019122478.tif 000005
【図４】
2019122478.tif 000006
【図５】
2019122478.tif 000007
【図６】
2019122478.tif 000008
【図７】
2019122478.tif 000009
【図８】
2019122478.tif 000010
【図９】
2019122478.tif 000011
【図１０】
2019122478.tif 000012
【図１１】
2019122478.tif 000013
【図１２】
2019122478.tif 000014
【図１３】
2019122478.tif 000015